(57)【要約】【課題】ユーザの操作を制限することなく、コンテンツ情報の格納と再生とを実行すること。【解決手段】主制御部１１は、入力部７が受け付けるユーザの操作入力を監視し、再生するべきコンテンツ情報がＨＤドライブ８に既に格納されているか否かを判定する。そして判定結果に基づいて出力切替部４を制御し、コンテンツ情報がＨＤドライブ８に格納済みであるならばＨＤドライブ８から読み出したコンテンツ情報を出力し、コンテンツ情報がＨＤドライブ８に格納済みでない場合にはＣＤドライブ２が読み出したコンテンツ情報を出力する。【選択図】        図１
2006031845.tif 000002
【特許請求の範囲】
【請求項１】
少なくとも音情報を含むコンテンツ情報を提供するオーディオ装置であって、
前記コンテンツ情報を取得する取得手段と、
前記取得手段が取得したコンテンツ情報を読み書き可能な記録媒体に格納する格納手段と、
ユーザからの操作入力を受け付ける受付手段と、
前記操作入力に基づいて、提供すべきコンテンツ情報が前記読み書き可能な記録媒体に格納済みであるか否かを判定し、格納済みである場合に当該格納済みコンテンツ情報を提供し、未格納である場合に前記取得手段が取得したコンテンツ情報を提供する出力切替制御手段と、
を備えたことを特徴とするオーディオ装置。
【請求項２】
前記取得手段が取得したコンテンツ情報の形式を変換する変換手段をさらに備え、前記格納手段は、前記変換手段によって形式を変換されたコンテンツ情報を格納することを特徴とする請求項１に記載のオーディオ装置。
【請求項３】
前記出力切替制御手段は、前記コンテンツ情報の早送り再生を前記操作入力によって指示された場合に、該早送り再生によって前記格納済みコンテンツ情報の最終位置まで再生が終了した時点で前記取得手段が取得したコンテンツ情報の提供に切り替えることを特徴とする請求項１または２に記載のオーディオ装置。
【請求項４】
前記出力切替制御手段は、前記コンテンツ情報の巻き戻し再生を前記操作入力によって指示された場合に、該巻き戻し再生によって前記格納済みコンテンツ情報の先頭位置まで再生が終了した時点で前記取得手段が取得したコンテンツ情報の提供に切り替えることを特徴とする請求項１，２または３に記載のオーディオ装置。
【請求項５】
前記出力切替制御手段は、前記操作入力によって提供中のコンテンツ情報とは異なるコンテンツ情報の提供を指示された場合に、当該新たに指示されたコンテンツ情報が前記読み書き可能な記録媒体に格納済みであるか否かを判定し、格納済みである場合に当該格納済みコンテンツ情報を提供し、未格納である場合に前記取得手段によってコンテンツ情報を取得して提供することを特徴とする請求項１〜４のいずれか一つに記載のオーディオ装置。
【請求項６】
前記取得手段は、前記読み書き可能な記録媒体とは異なるコンテンツ情報取得用記録媒体から前記コンテンツ情報の取得を行うことを特徴とする請求項１〜５のいずれか一つに記載のオーディオ装置。
【請求項７】
前記コンテンツ情報取得用記録媒体はＣＤメディアであることを特徴とする請求項６に記載のオーディオ装置。
【請求項８】
前記コンテンツ情報取得用記録媒体はＤＶＤメディアであることを特徴とする請求項６または７に記載のオーディオ装置。
【請求項９】
前記取得手段は、ネットワークを介して前記コンテンツ情報を受信することを特徴とする請求項１〜８のいずれか一つに記載のオーディオ装置。
【請求項１０】
前記格納手段は、前記コンテンツ情報の格納が中断された後に、当該取得が中断されたコンテンツ情報全体を再取得することを特徴とする請求項１〜９のいずれか一つに記載のオーディオ装置。
【請求項１１】
前記格納手段は、前記コンテンツ情報の格納が中断された後に、当該中断された位置からコンテンツ情報の取得を継続することを特徴とする請求項１〜９のいずれか一つに記載のオーディオ装置。
【請求項１２】
前記取得手段は、前記コンテンツ情報の提供に要する提供時間をさらに取得し、前記格納手段は、前記提供時間が前記格納済コンテンツ情報の提供に要する時間に比して大きい場合に当該コンテンツ情報の格納が中断されたと判断することを特徴とする請求項１０または１１に記載のオーディオ装置。
【発明の詳細な説明】
【技術分野】
【０００１】
この発明は、少なくとも音情報を含むコンテンツ情報を提供するオーディオ装置に関し、特に再生と録音とを同時に実行するオーディオ装置に関するものである。
【背景技術】
【０００２】
近年、再生装置にハードディスクドライブ（ＨＤＤ）を搭載し、コンテンツ情報を大容量で格納することが多くなっている。また、従来、車両にオーディオ装置を搭載し、車両走行中に音楽などを提供可能とすることが広く行われてきた。この音楽などのコンテンツ情報の取得には、ラジオ放送やテレビ放送の受信、ＣＤやＤＶＤなどの記憶媒体からの読出しが一般的であったが、近年、車両にハードディスクドライブ（ＨＤＤ）が搭載されるに伴い、ユーザが所望のコンテンツ情報をＨＤＤに記憶させ、必要に応じて読み出して利用することが多くなっている。
【０００３】
このように車両においてＨＤＤを利用したコンテンツ情報の提供を行う技術として、特許文献１は、曲送り等の操作が入力されると指定された楽曲の再生を実行し、その再生が終了した後に中断された楽曲の続きを再生する技術を公開している。
【０００４】
また、特許文献２は、ＨＤＤに記録されたデータの範囲内での早送り等の操作を受け付ける技術を公開しており、特許文献３は、異常発生時に記録・再生等を再実行し、再実行の回数が所定回数以上となった場合に再生・記録を中止する技術を公開している。
【０００５】
【特許文献１】特開２００２−９３１２３号公報
【特許文献２】特開２００２−２６９９１１号公報
【特許文献３】特開２００２−１２４０４５号公報
【発明の開示】
【発明が解決しようとする課題】
【０００６】
ところで、放送や記録媒体から取得したコンテンツ情報をＨＤＤに格納（記録）する場合、コンテンツ情報の再生を同時に行うことが望ましい。さらに言えば、ユーザからの早送りや巻き戻しなどの操作入力を受け付けて指示通りに再生しつつ、コンテンツ情報の格納を完了することが求められる。
【０００７】
また、コンテンツ情報をＨＤＤに格納する際には、記憶容量の節約や以降の利便性向上のため、コンテンツ情報形式を所定の形式に変換する（音楽情報であればＷＡＶ形式からＭＰ３形式に変換する、など）処理を施した後に格納することが一般的である。
【０００８】
この変換は、コンテンツ情報の再生速度の数倍程度の速度で実行可能であるので、コンテンツ情報を通常の速度で再生しつつ、同時にＨＤＤに格納することが可能である。そして、再生と格納とを同時に実行する場合、一旦ＨＤＤに格納したコンテンツ情報を読み出して再生することができる。
【０００９】
ところが、コンテンツ情報の取得（たとえばＣＤからの音楽データの読み出し）は、再生速度の数十倍程度の速度で可能であるため、ユーザから形式の変換に要する速度以上の速度で早送り再生や巻き戻し再生を求められた場合に、その再生を行うことができないという問題があった。
【００１０】
また、再生中の楽曲とは異なる楽曲の再生を求められた場合には、もとの楽曲のＨＤＤへの格納が中断することとなるという問題点があった。
【００１１】
そして、従来技術によってかかる問題を回避し、ＨＤＤへの格納を完了させようとすると、早送り再生や巻き戻し再生の最大速度を規制する、演奏曲の変更を規制するなど、ユーザの操作を制限する必要があった。
【００１２】
そのため、ユーザの操作を制限することなく、コンテンツ情報の格納と再生とを実行可能なオーディオ装置の実現が重要な課題となっていた。
【００１３】
この発明は、上述した従来技術による問題点を解消し、課題を解決するためになされたものであり、ユーザの操作を制限することなく、コンテンツ情報の格納と再生とを実行可能なオーディオ装置を提供することを目的とする。
【課題を解決するための手段】
【００１４】
上述した課題を解決し、目的を達成するため、請求項１の発明に係るオーディオ装置は、少なくとも音情報を含むコンテンツ情報を提供するオーディオ装置であって、前記コンテンツ情報を取得する取得手段と、前記取得手段が取得したコンテンツ情報を読み書き可能な記録媒体に格納する格納手段と、ユーザからの操作入力を受け付ける受付手段と、前記操作入力に基づいて、提供すべきコンテンツ情報が前記読み書き可能な記録媒体に格納済みであるか否かを判定し、格納済みである場合に当該格納済みコンテンツ情報を提供し、未格納である場合に前記取得手段が取得したコンテンツ情報を提供する出力切替制御手段と、を備えたことを特徴とする。
【００１５】
この請求項１の発明によればオーディオ装置は、取得したコンテンツ情報を読み書き可能な記録媒体に格納するとともに、ユーザからの操作入力に基づいて、提供すべきコンテンツ情報が読み書き可能な記録媒体に格納済みであるか否かを判定し、格納済みである場合に格納済みコンテンツ情報を提供し、未格納である場合に前記取得手段が取得したコンテンツ情報を提供する。
【００１６】
また、請求項２の発明に係るオーディオ装置は、請求項１の発明において、前記取得手段が取得したコンテンツ情報の形式を変換する変換手段をさらに備え、前記格納手段は、前記変換手段によって形式を変換されたコンテンツ情報を格納することを特徴とする。
【００１７】
この請求項２の発明によればオーディオ装置は、取得したコンテンツ情報の形式を変換して記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に前記取得手段が取得したコンテンツ情報を提供する。
【００１８】
また、請求項３の発明に係るオーディオ装置は、請求項１または２の発明において、前記出力切替制御手段は、前記コンテンツ情報の早送り再生を前記操作入力によって指示された場合に、該早送り再生によって前記格納済みコンテンツ情報の最終位置まで再生が終了した時点で前記取得手段が取得したコンテンツ情報の提供に切り替えることを特徴とする。
【００１９】
この請求項３の発明によればオーディオ装置は、コンテンツ情報の早送り再生を操作入力によって指示された場合に、早送り再生によって格納済みコンテンツ情報の最終位置まで再生が終了した時点で取得手段が取得したコンテンツ情報の提供に切り替える。
【００２０】
また、請求項４の発明に係るオーディオ装置は、請求項１，２または３の発明において、前記出力切替制御手段は、前記コンテンツ情報の巻き戻し再生を前記操作入力によって指示された場合に、該巻き戻し再生によって前記格納済みコンテンツ情報の先頭位置まで再生が終了した時点で前記取得手段が取得したコンテンツ情報の提供に切り替えることを特徴とする。
【００２１】
この請求項４の発明によればオーディオ装置は、コンテンツ情報の巻き戻し再生を操作入力によって指示された場合に、巻き戻し再生によって格納済みコンテンツ情報の先頭位置まで再生が終了した時点で取得手段が取得したコンテンツ情報の提供に切り替える。
【００２２】
また、請求項５の発明に係るオーディオ装置は、請求項１〜４の発明において、前記出力切替制御手段は、前記操作入力によって提供中のコンテンツ情報とは異なるコンテンツ情報の提供を指示された場合に、当該新たに指示されたコンテンツ情報が前記読み書き可能な記録媒体に格納済みであるか否かを判定し、格納済みである場合に当該格納済みコンテンツ情報を提供し、未格納である場合に前記取得手段によってコンテンツ情報を取得して提供することを特徴とする。
【００２３】
この請求項５の発明によればオーディオ装置は、操作入力によって提供中のコンテンツ情報とは異なるコンテンツ情報の提供を指示された場合に、新たに指示されたコンテンツ情報が記録媒体に格納済みであるか否かを判定し、格納済みである場合には格納済みコンテンツ情報を提供し、未格納である場合には取得手段によってコンテンツ情報を取得して提供する。
【００２４】
また、請求項６の発明に係るオーディオ装置は、請求項１〜５の発明において、前記取得手段は、前記読み書き可能な記録媒体とは異なるコンテンツ情報取得用記録媒体から前記コンテンツ情報の取得を行うことを特徴とする。
【００２５】
この請求項６の発明によればオーディオ装置は、コンテンツ情報取得用記録媒体から取得したコンテンツ情報を読み書き可能な記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に前記取得手段が取得したコンテンツ情報を提供する。
【００２６】
また、請求項７の発明に係るオーディオ装置は、請求項６の発明において、前記コンテンツ情報取得用記録媒体はＣＤメディアであることを特徴とする。
【００２７】
この請求項７の発明によればオーディオ装置は、ＣＤメディアから取得したコンテンツ情報を読み書き可能な記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に前記取得手段が取得したコンテンツ情報を提供する。
【００２８】
また、請求項８の発明に係るオーディオ装置は、請求項６または７の発明において、前記コンテンツ情報取得用記録媒体はＤＶＤメディアであることを特徴とする。
【００２９】
この請求項８の発明によればオーディオ装置は、ＤＶＤメディアから取得したコンテンツ情報を読み書き可能な記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に前記取得手段が取得したコンテンツ情報を提供する。
【００３０】
また、請求項９の発明に係るオーディオ装置は、請求項１〜８の発明において、前記取得手段は、ネットワークを介して前記コンテンツ情報を受信することを特徴とする。
【００３１】
この請求項９の発明によればオーディオ装置は、ネットワークを介して取得したコンテンツ情報を読み書き可能な記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に前記取得手段が取得したコンテンツ情報を提供する。
【００３２】
また、請求項１０の発明に係るオーディオ装置は、請求項１〜９の発明において、前記格納手段は、前記コンテンツ情報の格納が中断された後に、当該取得が中断されたコンテンツ情報全体を再取得することを特徴とする。
【００３３】
この請求項１０の発明によればオーディオ装置は、コンテンツ情報の格納が中断された場合に、取得が中断されたコンテンツ情報全体を再取得する。
【００３４】
また、請求項１１の発明に係るオーディオ装置は、請求項１〜９の発明において、前記格納手段は、前記コンテンツ情報の格納が中断された後に、当該中断された位置からコンテンツ情報の取得を継続することを特徴とする。
【００３５】
この請求項１１の発明によればオーディオ装置は、コンテンツ情報の格納が中断された場合に、中断された位置からコンテンツ情報の取得を継続する。
【００３６】
また、請求項１２の発明に係るオーディオ装置は、請求項１０または１１の発明において、前記取得手段は、前記コンテンツ情報の提供に要する提供時間をさらに取得し、前記格納手段は、前記提供時間が前記格納済コンテンツ情報の提供に要する時間に比して大きい場合に当該コンテンツ情報の格納が中断されたと判断することを特徴とする。
【００３７】
この請求項１２の発明によればオーディオ装置は、コンテンツ情報の提供に要する提供時間を取得し、提供時間が格納済コンテンツ情報の提供に要する時間に比して大きい場合にコンテンツ情報の格納が中断されたと判断する。
【発明の効果】
【００３８】
請求項１の発明によればオーディオ装置は、取得したコンテンツ情報を読み書き可能な記録媒体に格納するとともに、ユーザからの操作入力に基づいて、提供すべきコンテンツ情報が読み書き可能な記録媒体に格納済みであるか否かを判定し、格納済みである場合に格納済みコンテンツ情報を提供し、未格納である場合に取得手段が取得したコンテンツ情報を提供するので、ユーザの操作を制限することなく、コンテンツ情報の格納と再生とを実行可能なオーディオ装置を得ることができるという効果を奏する。
【００３９】
また、請求項２の発明によればオーディオ装置は、取得したコンテンツ情報の形式を変換して記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に取得手段が取得したコンテンツ情報を提供するので、ユーザの操作を制限することなく、コンテンツ情報の変換・格納と再生とを実行可能なオーディオ装置を得ることができるという効果を奏する。
【００４０】
また、請求項３の発明によればオーディオ装置は、コンテンツ情報の早送り再生を操作入力によって指示された場合に、早送り再生によって格納済みコンテンツ情報の最終位置まで再生が終了した時点で取得手段が取得したコンテンツ情報の提供に切り替えるので、コンテンツ情報を格納しつつ、所望の速度で早送り再生が可能なオーディオ装置を得ることができるという効果を奏する。
【００４１】
また、請求項４の発明によればオーディオ装置は、コンテンツ情報の巻き戻し再生を操作入力によって指示された場合に、巻き戻し再生によって格納済みコンテンツ情報の先頭位置まで再生が終了した時点で取得手段が取得したコンテンツ情報の提供に切り替えるので、コンテンツ情報を格納しつつ、所望の速度で巻き戻し再生が可能なオーディオ装置を得ることができるという効果を奏する。
【００４２】
また、請求項５の発明によればオーディオ装置は、操作入力によって提供中のコンテンツ情報とは異なるコンテンツ情報の提供を指示された場合に、新たに指示されたコンテンツ情報が記録媒体に格納済みであるか否かを判定し、格納済みである場合には格納済みコンテンツ情報を提供し、未格納である場合には取得手段によってコンテンツ情報を取得して提供するので、コンテンツ情報を格納しつつ、再生を実行するコンテンツを任意に選択可能なオーディオ装置を得ることができるという効果を奏する。
【００４３】
また、請求項６の発明によればオーディオ装置は、コンテンツ情報取得用記録媒体から取得したコンテンツ情報を読み書き可能な記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に取得手段が取得したコンテンツ情報を提供するので、ユーザの操作を制限することなく、コンテンツ情報の格納と再生とを実行可能なオーディオ装置を得ることができるという効果を奏する。
【００４４】
また、請求項７の発明によればオーディオ装置は、ＣＤメディアから取得したコンテンツ情報を読み書き可能な記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に取得手段が取得したコンテンツ情報を提供するので、ユーザの操作を制限することなく、ＣＤメディアに記録されたコンテンツ情報の所望の記録媒体への格納と再生とを実行可能なオーディオ装置を得ることができるという効果を奏する。
【００４５】
また、請求項８の発明によればオーディオ装置は、ＤＶＤメディアから取得したコンテンツ情報を読み書き可能な記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に取得手段が取得したコンテンツ情報を提供するので、ユーザの操作を制限することなく、ＤＶＤメディアに記録されたコンテンツ情報の所望の記録媒体への格納と再生とを実行可能なオーディオ装置を得ることができるという効果を奏する。
【００４６】
また、請求項９の発明によればオーディオ装置は、ネットワークを介して取得したコンテンツ情報を読み書き可能な記録媒体に格納するとともに、ユーザからの操作入力に基づいて提供すべきコンテンツ情報が読み書き可能な記録媒体に格納済みであるか否かを判定し、格納済みである場合に格納済みコンテンツ情報を提供し、未格納である場合に取得手段が取得したコンテンツ情報を提供するので、ユーザの操作を制限することなく、ネットワークから取得したコンテンツ情報の所望の記録媒体への格納と再生とを実行可能なオーディオ装置を得ることができるという効果を奏する。
【００４７】
また、請求項１０の発明によればオーディオ装置は、コンテンツ情報の格納が中断された場合に、取得が中断されたコンテンツ情報全体を再取得するので、ユーザの操作を制限することなくコンテンツ情報の格納と再生とを実行するとともに、格納が中断されたコンテンツ情報を選択的に再取得可能なオーディオ装置を得ることができるという効果を奏する。
【００４８】
また、請求項１１の発明によればオーディオ装置は、コンテンツ情報の格納が中断された場合に、中断された位置からコンテンツ情報の取得を継続するので、ユーザの操作を制限することなくコンテンツ情報の格納と再生とを実行するとともに、中断されたコンテンツ情報の格納を中断箇所から再開可能なオーディオ装置を得ることができるという効果を奏する。
【００４９】
また、請求項１２の発明によればオーディオ装置は、コンテンツ情報の提供に要する提供時間を取得し、提供時間が格納済コンテンツ情報の提供に要する時間に比して大きい場合にコンテンツ情報の格納が中断されたと判断するので、ユーザの操作を制限することなく、コンテンツ情報の格納と再生とを実行するとともに、格納の中断を簡易かつ正確に判定して格納を再開、もしくは再取得可能なオーディオ装置を得ることができるという効果を奏する。
【発明を実施するための最良の形態】
【００５０】
以下に添付図面を参照して、この発明に係る車載用のオーディオ装置の好適な実施例を詳細に説明する。
【実施例】
【００５１】
図１は、本発明の実施例である車載用のオーディオ装置の概要構成を説明する概要構成図である。同図に示すように、オーディオ装置１は、その内部にＣＤドライブ２、キャッシュ３、出力切替部４、アンプ５、スピーカ６、入力部７、ＨＤドライブ８およびマイコン１０を有する。
【００５２】
ＣＤドライブ２は、光学式の記録媒体であるＣＤメディアからコンテンツ情報を読み出してキャッシュ３に出力する。ＣＤメディアには、たとえば音楽情報であればＷＡＶ形式などのデータ形式でコンテンツ情報が記録されている。キャッシュ３は、このコンテンツ情報をＣＤメディアに記録されていたままのデータ形式で一時的に格納した後、出力切替部４およびマイコン１０に送出する。
【００５３】
マイコン１０は、キャッシュ３から取得したコンテンツ情報をＨＤドライブ８に記録する書き込み処理と、ＨＤドライブ８に記録されたコンテンツ情報を読み出して出力切替部４に送出する読み出し処理とを行う。
【００５４】
そして出力切替部４は、キャッシュ３とマイコン１０から受領したコンテンツ情報のうち、いずれか一方を選択してアンプ５に出力する。このアンプ５は、コンテンツ情報の出力を増幅し、スピーカ４から出力する。なお、ここではコンテンツ情報の一例として音楽情報を提供する場合について説明するので、コンテンツ情報をスピーカ４から提供する構成としているが、コンテンツ情報が画像を含む、たとえば動画データである場合には、ディスプレイなどの表示手段を含む構成とすればよい。
【００５５】
入力部７は、ユーザからの操作入力を受け付ける入力インターフェースであり、操作ボタンやタッチパネルディスプレイによって実現される。
【００５６】
マイコン１０は、より詳細には、その内部に主制御部１１、エンコーダ１２、デコーダ１３、ＨＤＤコントローラ１４を有する。主制御部１１は、入力部７が受け付けたユーザからの操作入力などに基づいて、オーディオ装置１を全体制御する制御部である。
【００５７】
エンコーダ１２は、キャッシュ３から読み出したコンテンツ情報を所定のデータ形式、たとえば音楽情報であればＭＰ３形式などに変換する処理部であり、ＨＤＤコントローラ１４は、ＨＤドライブ８に対するデータの読み書きを制御する処理部である。また、デコーダ１３は、ＨＤドライブ８から読み出したデータをデコードして出力切替部４に送出する。
【００５８】
すなわち、オーディオ装置１は、ＣＤドライブ２から読み出したコンテンツ情報を所定の形式にエンコードしてＨＤドライブ８に記録し、ＨＤドライブ８に記録したコンテンツ情報を再生する場合にはデコードして使用する。
【００５９】
このようにコンテンツ情報をエンコードして記録することで、ＨＤドライブ８の記憶容量の節約や以降の利便性向上を図ることができる。例えば、ＷＡＶ形式の音楽データをＭＰ３形式に変換して記録したならば、その記録に要する容量を１０分の１程度に圧縮することが可能である。
【００６０】
一般に、ＣＤメディアから音楽情報を読み出す場合、その音楽情報を提供、すなわち再生する速度の数十倍程度の速度で読み出すことが可能である。また、エンコードについても音楽情報の再生速度の数倍程度の速度で実行可能である。
【００６１】
そのため、音楽情報の記録と再生を同時に実行する場合、オーディオ装置１は、ＣＤメディアから読み出した音楽情報をエンコードして一旦ＨＤドライブ８に格納し、その後、一旦ＨＤドライブ８に格納したコンテンツ情報を読み出して再生する。したがって、このとき出力切替部４は、マイコン１０から受領したコンテンツ情報を選択してアンプ５に出力することとなる。
【００６２】
ところが、ユーザからエンコード速度を超える速度の早送り再生や巻き戻し再生を求められると、エンコーダ１２による処理速度がボトルネックとなり、ＨＤドライブ８からのコンテンツ情報の読み出しが再生に間に合わないことがある。
【００６３】
すなわち、図２に示すように、エンコード速度Ｖ１以下の再生速度Ｖ２で再生する場合には、ＣＤメディアから読み出したコンテンツ情報をエンコードしてＨＤドライブ８に格納した後にＨＤドライブ８から読み出したコンテンツ情報を再生することができるが、エンコード速度Ｖ１より大きい再生速度Ｖ３で再生する場合には、ＨＤドライブ８からのコンテンツ情報の読出しが間に合わないこととなる。
【００６４】
そのため、例えば再生速度Ｖ２で再生中に、入力部７が時刻ｔ１の時点で再生速度をエンコード速度Ｖ１より大きくする指示を受け付けたとすると、時刻ｔ２まではそれまでにＨＤドライブ８に格納したコンテンツ情報を読み出して再生することができるが、時刻ｔ２の時点で予め格納したコンテンツ情報を全て読み出してしまい、それ以降のコンテンツ情報についてはＨＤドライブ８からの読出しができなくなる。
【００６５】
同様に、再生中のコンテンツ情報とは異なるコンテンツ情報の再生をユーザから指示された場合（たとえばコンテンツ情報を指定して指示された場合や、コンテンツ情報のスキップ指示を受け付けた場合）、指示された新たなコンテンツ情報を既にＨＤドライブ８に格納済みであるならば、そのコンテンツ情報をＨＤドライブ８から読み出して再生することができるが、ＨＤドライブ８に格納していないコンテンツ情報についてはＨＤドライブ８からの読出しができないこととなる。
【００６６】
たとえば、図３に示すように、コンテンツ情報ＴＲ１３を再生中であって、ＨＤドライブ８にコンテンツ情報ＴＲ１２の格納が完了し、コンテンツ情報ＴＲ１３のうちＴＲ１３ａまで格納が終了している状態では、ＴＲ１３ａまではＨＤドライブ８から読み出して再生可能であるが、早送り再生指示によってＴＲ１３ａ以降の再生が必要となった場合にはＨＤドライブ８からの再生ができない。
【００６７】
巻き戻し再生指示についても同様に、コンテンツ情報ＴＲ１２まではＨＤドライブ８から再生が可能であるが、コンテンツ情報ＴＲ１２以前、たとえばコンテンツ情報ＴＲ１１などの再生が必要になった場合にはＨＤドライブ８からの再生ができない。
【００６８】
また、再生するコンテンツの変更については、既に格納済みであるコンテンツ情報ＴＲ１２の再生を指示された場合にはＨＤドライブ８からの再生が可能であるが、コンテンツ情報ＴＲ１１，コンテンツ情報ＴＲ１４，コンテンツ情報ＴＲ１５など、ＨＤドライブ８に未格納のコンテンツ情報を指定された場合にはＨＤドライブ８からの再生ができない。
【００６９】
そこで、オーディオ装置１は、入力部７が受け付けたユーザの操作入力を監視して再生すべきコンテンツ情報がＨＤドライブ８に格納済みであるか否かを判定し、未格納のコンテンツ情報を再生する場合には、ＣＤメディアから読み出したコンテンツ情報を直接に再生する（出力切替部４にキャッシュ３から受領したコンテンツ情報を選択させてアンプ５に出力する）。
【００７０】
このオーディオ装置１の処理動作を説明する。図４は、オーディオ装置１の処理動作を説明するフローチャートであり、この処理フローはオーディオ装置１の稼動時に繰り返し実行される。
【００７１】
まず、マイコン１０は、入力部７を監視し、ユーザの操作入力の状態（早送り再生の指示、巻き戻し再生の指示、スキップ指示など）を取得する（ステップＳ１０１）。つぎに、主制御部１１は、ユーザの操作入力に示された、再生すべきコンテンツ情報と、ＨＤドライブ８に格納したコンテンツ情報とを比較し（ステップＳ１０２）、再生すべきコンテンツ情報がＨＤドライブ８に格納済みであるか否かを判定する（ステップＳ１０３）。
【００７２】
その結果、再生すべきコンテンツ情報がＨＤドライブ８に格納済みであるならば（ステップＳ１０３，Ｙｅｓ）、ＨＤドライブ８からコンテンツ情報を読み出して再生する（ステップＳ１０４）。この時、主制御部１１は、出力切替部４を制御して、マイコン１０から受領したコンテンツ情報をアンプ５に出力させる。
【００７３】
一方、再生すべきコンテンツ情報がＨＤドライブ８に格納されていないならば（ステップＳ１０４，Ｎｏ）、オーディオ装置１は、ＣＤメディアからコンテンツ情報を読み出して再生する（ステップＳ１０５）。この時、主制御部１１は、出力切替部４を制御して、キャッシュ３から受領したコンテンツ情報をアンプ５に出力させる。
【００７４】
このように、再生すべきコンテンツ情報がＨＤドライブ８に格納済みである場合にはＨＤドライブ８からコンテンツ情報を読み出して再生し、再生すべきコンテンツ情報をＨＤドライブ８に格納していない場合には、ＣＤメディアから読み出したコンテンツ情報を直接に再生することで、ユーザの操作を制限することなく、コンテンツ情報の格納と再生とを実行することができる。また、ユーザがエンコード速度を超える速度の早送り再生や巻き戻し再生、また、コンテンツのスキップなどを指示した場合にも再生を中断することなく継続することができる。
【００７５】
ところで、コンテンツ情報の読み出しをＨＤドライブ８からＣＤメディアに切替えた場合、コンテンツ情報のＨＤドライブ８への格納は一時中断する。そこで、オーディオ装置１はコンテンツ情報の格納が中断した場合には、再度そのコンテンツ情報を格納する際に中断したコンテンツ情報の最初から、もしくはコンテンツ情報の中断箇所からＨＤドライブ８への格納を再開する。
【００７６】
たとえば、図３に示したようにコンテンツ情報ＴＲ１２の格納が完了し、コンテンツ情報ＴＲ１３のうちＴＲ１３ａまで格納が終了した状態で中断が発生した場合、コンテンツ情報ＴＲ１３の最初から、もしくはＴＲ１３ａから格納を再開する。
【００７７】
ここで、それぞれのコンテンツ情報の格納が完了しているか否かは、ＣＤメディアからTOC （Table Of Contents） を読み出してＨＤドライブ８に格納したコンテンツ情報と比較することで、判定することができる。
【００７８】
ＴＯＣは、ＣＤメディアが記録しているトラックの数、データ開始位置、サイズなどが記載されたデータであり、このＴＯＣを参照することで各コンテンツの再生に必要な時間を取得できる。
【００７９】
そこで、ＴＯＣから取得した再生に要する時間と、ＨＤドライブ８に格納済みのコンテンツ情報の再生に要する時間とを比較し、ＴＯＣから取得した再生に要する時間の方が長ければ、そのコンテンツ情報の格納は中断されていると判定する。
【００８０】
上述してきたように、本実施例にかかるオーディオ装置１では、入力部７に対するユーザの操作入力を監視し、再生すべきコンテンツ情報がＨＤドライブ８に格納済みであるか否かによって出力切替部４を制御し、ＨＤドライブ８に格納からコンテンツ情報を読み出して再生するか、ＣＤメディアからコンテンツ情報を読み出して再生するかを切替えるので、ユーザの操作を制限することなくコンテンツ情報の格納と再生とを実行することができる。
【００８１】
また、ＴＯＣから取得した再生に要する時間と、ＨＤドライブ８に格納済みのコンテンツ情報の再生に要する時間とを比較してコンテンツ情報の格納が完了したか否かを判定し、格納が中断されたコンテンツ情報の最初から、もしくは中断箇所から格納を再開するので、中断後に適切な再開を行うことができる。
【００８２】
なお、本実施例では、ＣＤメディアからコンテンツ情報を読み出してＨＤドライブに格納する場合の構成を例に説明を行ったが、例えばＤＶＤメディアなどの他の記録媒体から読み出したコンテンツ情報をＨＤドライブに格納して利用する場合、各種放送から受信したコンテンツ情報やストリーム配信から取得したコンテンツ情報をＨＤドライブに格納して利用する場合等にも同様に本発明を適用可能である。
【００８３】
また、本実施例ではコンテンツ情報の一例として音楽情報を用いて説明を行ったが、動画など他のコンテンツ情報であっても、本発明を利用することができる。
【００８４】
さらに、本実施例に示した構成は、本発明を実施する場合の一例であり、その構成は適宜変更して実施することができる。たとえば、アンプ５に出力切替部４の機能を持たせた構成としてもよい。
【産業上の利用可能性】
【００８５】
以上のように、本発明にかかるオーディオ装置は、再生と録音とを同時に実行するオーディオ装置に有用である。
【図面の簡単な説明】
【００８６】
【図１】本発明の実施例にかかるオーディオ装置の概要構成を示す概要構成図である。
【図２】エンコード速度と再生速度との関係について説明する説明図である。
【図３】ＨＤドライブへのコンテンツ情報の格納について説明する説明図である。
【図４】図１に示したオーディオ装置の処理動作を説明するフローチャートである。
【符号の説明】
【００８７】
１    オーディオ装置
２    ＣＤドライブ
３    キャッシュ
４    出力切替部
５    アンプ
６    スピーカ
７    入力部
８    ＨＤドライブ
１０    マイコン
１１    主制御部
１２    エンコーダ
１３    デコーダ
１４    ＨＤＤコントローラ
【図１】
2006031845.tif 000003
【図２】
2006031845.tif 000004
【図３】
2006031845.tif 000005
【図４】
2006031845.tif 000006